(57)【要約】【課題】入力増幅器のオフセット電圧の発生による漏電判定のエラーを防止する漏電遮断器の制御回路を提供する。【解決手段】本発明による漏電遮断器の制御回路は、回路の零相電流を漏電検出信号として検出する零相変流器１０と、前記漏電検出信号に含まれる高周波ノイズを除去するフィルタ回路部２０と、前記漏電検出信号の電流とフィルタ回路部２０のインピーダンスにより形成される電圧を増幅し、ベースがフィルタ回路部２０の両出力端にそれぞれ接続される一対のトランジスタＱ１、Ｑ２を備える入力増幅器３０と、一対のトランジスタＱ１、Ｑ２のベースに共通に接続され、一対のトランジスタＱ１、Ｑ２に同じ量のベース電流を供給するベース電流発生器６０と、入力増幅器３０から出力される前記増幅された電圧の値と予め設定された基準電圧値とを比較してトリップ制御信号を出力するか否かを決定するトリップ決定回路部４０とを含む。【選択図】図１
2017199677.tif 000002
【特許請求の範囲】
【請求項１】
回路の零相電流を漏電検出信号として検出する零相変流器と、
前記漏電検出信号に含まれる高周波ノイズを除去するフィルタ回路部と、
前記漏電検出信号の電流及び前記フィルタ回路部のインピーダンスにより形成される電圧を増幅し、ベースが前記フィルタ回路部の両出力端にそれぞれ接続される一対のトランジスタを備える入力増幅器と、
前記一対のトランジスタのベースに共通に接続され、前記一対のトランジスタに同じ量のベース電流を供給するベース電流発生器と、
前記入力増幅器から出力される前記漏電検出信号としての前記増幅された電圧の値と予め設定された基準電圧値とを比較してトリップ制御信号を出力するか否かを決定するトリップ決定回路部とを含む、漏電遮断器の制御回路。
【請求項２】
前記ベース電流発生器は、電流ミラー回路で構成される、請求項１に記載の漏電遮断器の制御回路。
【請求項３】
前記電流ミラー回路は、ＢＪＴ（Bipolar Junction Transistor）ミラー回路である、請求項２に記載の漏電遮断器の制御回路。
【請求項４】
前記電流ミラー回路は、ＭＯＳＦＥＴ（Metal Oxide Semiconductor Field Effect Transistor）ミラー回路である、請求項２に記載の漏電遮断器の制御回路。
【請求項５】
前記電流ミラー回路は、
基準電流が流れる第１ＢＪＴと、
前記第１ＢＪＴのベースに接続されるベースを有し、前記基準電流と同じ電流値の出力電流を供給する第２ＢＪＴと、
前記第１ＢＪＴのベースに接続されるベースを有し、前記基準電流と同じ電流値の出力電流を供給する第３ＢＪＴとを含む、請求項２に記載の漏電遮断器の制御回路。
【請求項６】
前記第１ＢＪＴ、前記第２ＢＪＴ及び前記第３ＢＪＴは、同じ電気的特性を有するＢＪＴで構成される、請求項５に記載の漏電遮断器の制御回路。
【請求項７】
前記ベース電流発生器に接続され、前記一対のトランジスタのベースに供給される前記ベース電流を調整することにより、前記ベース電流に対する前記一対のトランジスタのコレクタ電流のゲインを調整するゲイン調整器をさらに含む、請求項１に記載の漏電遮断器の制御回路。
【請求項８】
前記ゲイン調整器は、定電圧源と、前記定電圧源に直列に接続される可変抵抗とから構成され、前記可変抵抗の抵抗値の調整により前記ベース電流を調整するように構成される、請求項７に記載の漏電遮断器の制御回路。
【発明の詳細な説明】
【技術分野】
【０００１】
本発明は、漏電遮断器に関し、特に、零相変流器（Zero Phase Current Transformer; ZCT）の漏電検出電圧入力を増幅する入力増幅器を有する漏電遮断器の制御回路に関する。
【背景技術】
【０００２】
回路遮断器（Circuit Breaker）は、回路に過電流や短絡電流などの事故電流（fault current）が発生するとそれを検出して自動的に回路遮断動作（トリップ動作）を行うことにより、回路と回路に接続された負荷を事故電流から保護する電気機器である。
【０００３】
漏電遮断器（Electric Leakage Circuit Breaker）は、電気エネルギーを供給する電力回路の電流が部分的にでも負荷側に流れずに大地に流れる漏電が発生するとそれを検出して自動的に回路を遮断する構成を、前記回路遮断器にさらに取り付けた電気機器である。
【０００４】
本発明は、このような漏電遮断器に関し、特に、回路に漏電が発生するとそれを検出してトリップ動作を開始するか否かを決定する漏電遮断器の制御回路に関する。
【０００５】
図５は従来技術による漏電遮断器の制御回路の構成を示すブロック図である。
【０００６】
従来技術による漏電遮断器の制御回路は、零相変流器（ＺＣＴ）１０、フィルタ回路部２０、入力増幅器３０及びトリップ決定回路部４０を含む。
【０００７】
零相変流器１０は、内部に回路が貫通する環状のコアと、前記コアに巻回され、前記回路に漏電が発生すると誘導される漏電検出信号としての零相電流（ＩＬ）を出力する二次コイルとを含む。
【０００８】
フィルタ回路部２０は、前記二次コイルに接続され、前記零相電流（ＩＬ）からノイズを除去する。
【０００９】
入力増幅器３０は、フィルタ回路部２０及びトリップ決定回路部４０間に接続される。
【００１０】
入力増幅器３０は、典型的な演算増幅器（Operational Amplifier）で構成されてもよい。
【００１１】
フィルタ回路部２０を通過した零相電流（ＩＬ）は、入力増幅器３０の一対のトランジスタＱ１、Ｑ２のベース電流（Ｉｂ）として供給される。
【００１２】
入力増幅器３０に供給された零相電流（ＩＬ）は、一対のトランジスタＱ１、Ｑ２のベース電流（Ｉｂ）に対するコレクタ電流（Ｉｃ）の比率で増幅される。
【００１３】
入力増幅器３０の出力電流、すなわちコレクタ電流（Ｉｃ）は、一対のトランジスタＱ１、Ｑ２のコレクタに接続されたコレクタ抵抗により電圧となり、トリップ決定回路部４０に印加される。
【００１４】
トリップ決定回路部４０は、増幅された前記漏電検出信号としての入力増幅器３０の出力電圧値と予め設定されたトリップ決定のための基準電圧値とを比較し、前記出力電圧値が前記基準電圧値以上の場合、トリップ動作を開始することを決定し、トリップ制御信号を出力するようにしてもよい。
【００１５】
前記トリップ制御信号は、例えば、公知のマグネチックトリップ機構などのトリップ機構５０に伝達される。
【００１６】
トリップ機構５０は、例えば、コイル（図示せず）と、アーマチュアやプランジャなどの出力部（図示せず）とを含んでもよい。トリップ機構５０は、前記コイルが前記トリップ制御信号により磁化すると、前記コイルの磁力により前記出力部を移動させ、開閉機構（図示せず）が自動的に回路遮断動作（トリップ動作）を行うようにトリガする。
【００１７】
すると、前記開閉機構により可動接点（図示せず）が対応する固定接点（図示せず）から分離し、漏電発生による回路遮断が行われる。
【００１８】
図５を参照すると、入力増幅器３０は、演算増幅器回路で構成されてもよい。
【００１９】
前記演算増幅器回路は、一対のトランジスタＱ１、Ｑ２と、一対のトランジスタＱ１、Ｑ２のコレクタに接続される２つの定電流源と、一対のトランジスタＱ１、Ｑ２のエミッタに共通に接続される１つの定電流源とを含んでもよい。
【発明の概要】
【発明が解決しようとする課題】
【００２０】
このような従来技術による漏電遮断器の制御回路において、フィルタ回路部２０を通過した零相電流（ＩＬ）は、入力増幅器３０に入力され、入力増幅器３０の一対のトランジスタＱ１、Ｑ２のベース電流（Ｉｂ）として用いられ、残りの電流
2017199677.tif 000003
は再び零相変流器１０に送られる。
【００２１】
前記残りの電流
2017199677.tif 000004
とフィルタ回路部２０のインピーダンス（Ｚ）により電圧降下（Ｖｄ）が生じるが、当該電圧降下（Ｖｄ）は下記数式１のように表される。
【００２２】
【数１】
2017199677.tif 000005
【００２３】
すなわち、入力増幅器３０により増幅されるのは零相電流（ＩＬ）とフィルタ回路部２０のインピーダンス（Ｚ）の積からなる零相電流（ＩＬ）の電圧変換値のみでなければならないが、上記数式１のように、
2017199677.tif 000006
と入力増幅器３０の増幅度の積に相当する零相電流（ＩＬ）の電圧変換値の誤差（オフセット電圧）が発生する。
【００２４】
当該零相電流（ＩＬ）の電圧変換値の誤差は後続のステージのトリップ決定回路部４０のトリップ決定において誤動作を起こすことがあるという問題があった。
【００２５】
本発明は、このような従来技術の問題を解決するためになされたものであり、漏電検出信号の増幅において誤差（オフセット電圧）の発生を防止することにより正確な漏電判定を行うことができる漏電遮断器の制御回路を提供することを目的とする。
【課題を解決するための手段】
【００２６】
本発明の上記目的は、回路の零相電流を漏電検出信号として検出する零相変流器と、前記漏電検出信号に含まれる高周波ノイズを除去するフィルタ回路部と、前記漏電検出信号の電流及び前記フィルタ回路部のインピーダンスにより形成される電圧を増幅し、ベースが前記フィルタ回路部の両出力端にそれぞれ接続される一対のトランジスタを備える入力増幅器と、前記一対のトランジスタのベースに共通に接続され、前記一対のトランジスタに同じ量のベース電流を供給するベース電流発生器と、前記入力増幅器から出力される前記漏電検出信号としての前記増幅された電圧の値と予め設定された基準電圧値とを比較してトリップ制御信号を出力するか否かを決定するトリップ決定回路部とを含む、本発明による漏電遮断器の制御回路を提供することにより達成することができる。
【００２７】
本発明の好ましい一態様によれば、前記ベース電流発生器は、電流ミラー回路で構成される。
【００２８】
本発明の好ましい他の態様によれば、前記電流ミラー回路は、ＢＪＴ（Bipolar Junction Transistor）ミラー回路である。
【００２９】
本発明の好ましいさらに他の態様によれば、前記電流ミラー回路は、ＭＯＳＦＥＴ（Metal Oxide Semiconductor Field Effect Transistor）ミラー回路である。
【００３０】
本発明の好ましいさらに他の態様によれば、前記電流ミラー回路は、基準電流が流れる第１ＢＪＴと、前記第１ＢＪＴのベースに接続されるベースを有し、前記基準電流と同じ電流値の出力電流を供給する第２ＢＪＴと、前記第１ＢＪＴのベースに接続されるベースを有し、前記基準電流と同じ電流値の出力電流を供給する第３ＢＪＴとを含む。
【００３１】
本発明の好ましいさらに他の態様によれば、前記第１ＢＪＴ、前記第２ＢＪＴ及び前記第３ＢＪＴは、同じ電気的特性を有するＢＪＴで構成される。
【００３２】
本発明の好ましいさらに他の態様によれば、本発明による漏電遮断器の制御回路は、前記ベース電流発生器に接続され、前記一対のトランジスタのベースに供給される前記ベース電流を調整することにより、前記ベース電流に対する前記一対のトランジスタのコレクタ電流のゲインを調整するゲイン調整器をさらに含む。
【００３３】
本発明の好ましいさらに他の態様によれば、前記ゲイン調整器は、定電圧源と、前記定電圧源に直列に接続される可変抵抗とから構成され、前記可変抵抗の抵抗値の調整により前記ベース電流を調整するように構成される。
【発明の効果】
【００３４】
本発明による漏電遮断器の制御回路は、従来技術とは異なり、検出した零相電流が入力増幅器を構成する一対のトランジスタのベース電流として用いられるのではなく、一対のトランジスタのベース電流を供給するベース電流発生器を備えるので、零相電流と２つのトランジスタのベース電流の差を発生させる電圧降下、すなわちオフセット電圧が生じない。従って、入力増幅器により増幅される漏電検出信号にオフセット電圧が含まれないので、正確な漏電判定を行える漏電遮断器の制御回路を提供できるという効果がある。
【００３５】
また、本発明による漏電遮断器の制御回路は、ゲイン調整器を用いて入力増幅器の一対のトランジスタのベース電流を調整することにより、一対のトランジスタのコレクタ電流、すなわち出力電流の変化（ゲイン）及び出力電圧の変化（ゲイン）を調整でき、このような特性により、トリップ決定回路部の入力信号としての前記漏電検出信号のレベル（電圧レベル）を容易に調整できるという効果がある。
【図面の簡単な説明】
【００３６】
【図１】本発明の好ましい一実施形態による漏電遮断器の制御回路の構成を示すブロック図である。
【図２Ａ】図１に示すベース電流発生器の一構成例（能動素子としてＢＪＴを用いた構成例）を示す回路図である。
【図２Ｂ】図１に示すベース電流発生器の他の構成例（能動素子としてＭＯＳＦＥＴを用いた構成例）を示す回路図である。
【図３】本発明の好ましい他の実施形態による漏電遮断器の制御回路の構成を示すブロック図である。
【図４】図３に示すゲイン調整器の一構成例を示す回路図である。
【図５】従来技術による漏電遮断器の制御回路の構成を示すブロック図である。
【発明を実施するための形態】
【００３７】
前述した本発明の目的とそれを達成する本発明の構成及びその作用効果は、添付図面を参照した本発明の好ましい実施形態についての以下の説明によりさらに明確に理解できるであろう。
【００３８】
まず、図１を参照して、本発明の好ましい一実施形態による漏電遮断器の制御回路の構成について説明する。
【００３９】
本発明の好ましい一実施形態による漏電遮断器の制御回路は、零相変流器（ＺＣＴ）１０、フィルタ回路部２０、入力増幅器３０、ベース電流発生器６０及びトリップ決定回路部４０を含む。
【００４０】
トリップ機構５０は、周知のように、マグネチックコイルと、前記マグネチックコイルが励磁するとその磁力により回動するアーマチュアや前進するプランジャなどの機械的出力部とを含み、前記漏電遮断器の制御回路により動作する機構である。
【００４１】
トリップ機構５０の機械的出力は、周知のように、トリップスプリング、ラッチ、リンクなどから構成された開閉機構がトリップ動作を行うようにトリガする。
【００４２】
零相変流器１０は、従来技術と同様に、回路に漏電が発生すると生成される零相電流（ＩＬ）を漏電検出信号として検出する。
【００４３】
零相変流器１０は、内部に回路が貫通する環状のコアと、前記コアに巻回され、誘導された前記零相電流（ＩＬ）を出力する二次コイルとを含む。
【００４４】
フィルタ回路部２０は、前記漏電検出信号に含まれる高周波ノイズを除去する回路部であって、公知のローパスフィルタ（Low Pass Filter）回路部で構成されてもよい。
【００４５】
フィルタ回路部２０から出力される電流が入力増幅器３０のベース電流（Ｉｂ）として用いられる従来技術とは異なり、本発明においては、前記零相電流（ＩＬ）が再び零相変流器１０に送られる。
【００４６】
本発明においては、フィルタ回路部２０が有するインピーダンスをＺとすると、高周波成分が除去された零相電流（ＩＬ）とフィルタ回路部２０のインピーダンス（Ｚ）による電圧（電圧降下）、すなわち
2017199677.tif 000007
が入力増幅器３０により増幅される。
【００４７】
すなわち、本発明においては、オフセット電圧による誤差が生じることなく、前記漏電検出信号としての零相電流（ＩＬ）とフィルタ回路部２０のインピーダンス（Ｚ）による電圧、すなわち前記漏電検出信号の電圧変換値のみ入力増幅器３０により増幅されるので、後続のステージでトリップ決定回路部４０により正確な漏電判定が行われることになる。
【００４８】
入力増幅器３０は、前記漏電検出信号の電流、すなわち零相電流（ＩＬ）とフィルタ回路部２０のインピーダンス（Ｚ）により形成される電圧を増幅する。
【００４９】
入力増幅器３０は、典型的な演算増幅器で構成されてもよい。
【００５０】
入力増幅器３０は、ベースがフィルタ回路部２０の両出力端にそれぞれ接続される一対のトランジスタＱ１、Ｑ２を備える。
【００５１】
入力増幅器３０は、一対のトランジスタＱ１、Ｑ２のコレクタに定電流を供給する定電流源と、一対のトランジスタＱ１、Ｑ２のエミッタに共通に定電流を供給する定電流源とをさらに備える。
【００５２】
ベース電流発生器６０は、一対のトランジスタＱ１、Ｑ２のベースに共通に接続され、一対のトランジスタＱ１、Ｑ２に同じ量のベース電流（Ｉｂ）を供給する。
【００５３】
ベース電流発生器６０は、図２Ａ又は図２Ｂに示すように、電流ミラー回路で構成されてもよい。
【００５４】
図２Ａは、ベース電流発生器６０の一構成例として、ＢＪＴミラー回路で構成された場合を示す。
【００５５】
図２Ａを参照すると、前記ＢＪＴミラー回路は、ベース同士が当接して接続されるＢＪＴ３ Ｑ３、ＢＪＴ４ Ｑ４及びＢＪＴ５ Ｑ５を含む。
【００５６】
前記ＢＪＴミラー回路は、基準電流（Ｉｒｅｆ）を供給する定電流源（符号なし）をさらに含んでもよい。
【００５７】
ＢＪＴ３ Ｑ３には前記基準電流（Ｉｒｅｆ）が流れる。つまり、前記基準電流（Ｉｒｅｆ）はＢＪＴ３ Ｑ３のコレクタ及びベースに供給される。
【００５８】
ＢＪＴ４ Ｑ４は、ＢＪＴ３ Ｑ３のベースに接続されるベースを有し、前記基準電流（Ｉｒｅｆ）と同じ電流値の出力電流、すなわちコレクタ電流（Ｉｃ）を供給する。ＢＪＴ４ Ｑ４のコレクタには電流出力端子が接続される。
【００５９】
ＢＪＴ５ Ｑ５は、ＢＪＴ３ Ｑ３のベースに接続されるベースを有し、前記基準電流（Ｉｒｅｆ）と同じ電流値の出力電流、すなわちコレクタ電流（Ｉｃ）を供給する。ＢＪＴ５ Ｑ５のコレクタには電流出力端子が接続される。
【００６０】
ＢＪＴ３ Ｑ３、ＢＪＴ４ Ｑ４及びＢＪＴ５ Ｑ５のエミッタは接地される。
【００６１】
ＢＪＴ３ Ｑ３、ＢＪＴ４ Ｑ４及びＢＪＴ５ Ｑ５は、同じ電気的特性を有するＢＪＴで構成されてもよい。
【００６２】
図２ＡのＢＪＴミラー回路は、前記基準電流（Ｉｒｅｆ）と同じ電流値の出力電流（Ｉｏｕｔ）をＢＪＴ４ Ｑ４及びＢＪＴ５ Ｑ５のコレクタに接続された前記電流出力端子を介して出力する。
【００６３】
図２Ｂは、ベース電流発生器６０の他の構成例として、ＭＯＳＦＥＴミラー回路で構成された場合を示す。
【００６４】
図２Ｂの構成例は、能動素子としてＭＯＳＦＥＴを用いたことを除いては、能動素子としてＢＪＴを用いた図２Ａの構成例と同様である。
【００６５】
よって、図２Ｂの構成例の構成及び作用については、図２Ａを参照して説明した通りであるのでその説明を省略する。
【００６６】
一方、図１において、トリップ決定回路部４０は、入力増幅器３０から出力される前記漏電検出信号としての前記増幅された電圧の値と予め設定された基準電圧値とを比較してトリップ制御信号を出力するか否かを決定する。
【００６７】
次に、図１を参照して、本発明の好ましい一実施形態による漏電遮断器の制御回路の動作について簡単に説明する。
【００６８】
零相変流器１０は、回路に漏電が発生すると生成される零相電流（ＩＬ）を漏電検出信号として検出する。
【００６９】
フィルタ回路部２０は、前記漏電検出信号、すなわち零相電流（ＩＬ）に含まれる高周波ノイズを除去する。そして、フィルタ回路部２０は、零相電流（ＩＬ）とフィルタ回路部２０のインピーダンス（Ｚ）による電圧、すなわち
2017199677.tif 000008
を入力電圧として入力増幅器３０に印加する。
【００７０】
なお、フィルタ回路部２０から出力される零相電流（ＩＬ）がトランジスタのベース電流として用いられる従来技術とは異なり、本発明においては、ベース電流発生器６０が入力増幅器３０の一対のトランジスタＱ１、Ｑ２に同じ量のベース電流（Ｉｂ）を供給する。
【００７１】
前記零相電流（ＩＬ）は、再び零相変流器１０に送られる。
【００７２】
本発明において、前記漏電検出信号としての零相電流（ＩＬ）は、フィルタ回路部２０のインピーダンス（Ｚ）により入力電圧
2017199677.tif 000009
に変換される。よって、本発明において、増幅される前の前記漏電検出信号は、フィルタ回路部２０において形成される電圧値となる。
【００７３】
フィルタ回路部２０において形成される前記漏電検出信号としての入力電圧
2017199677.tif 000010
は、入力増幅器３０によりベース電流（Ｉｂ）に対するコレクタ電流（Ｉｃ）の比率で増幅される。
【００７４】
コレクタ電流（Ｉｃ）は、コレクタ抵抗により電圧に変換され、一対のトランジスタＱ１、Ｑ２のコレクタに接続された電流出力端子を介して出力されるようにしてもよい。
【００７５】
すなわち、図１において、それぞれのトランジスタＱ１、Ｑ２のコレクタに接続された電流出力端子の電圧は、入力増幅器３０から出力される前記漏電検出信号の増幅された電圧信号として、トリップ決定回路部４０に印加される。
【００７６】
トリップ決定回路部４０は、入力増幅器３０から出力される前記漏電検出信号としての前記増幅された電圧の値と予め設定された基準電圧値とを比較してトリップ制御信号を出力するか否かを決定する。
【００７７】
例えば、前記漏電検出信号としての前記増幅された電圧の値が前記予め設定された基準電圧値以上の場合、トリップ決定回路部４０は、トリップ制御信号を後続のステージのトリップ機構５０に出力する。
【００７８】
トリップ機構５０は、例えば、コイル（図示せず）と、アーマチュアやプランジャなどの出力部（図示せず）とを含んでもよい。トリップ機構５０は、前記コイルが前記トリップ制御信号により磁化すると、前記コイルの磁力により前記出力部を移動させ、開閉機構（図示せず）が自動的に回路遮断動作（トリップ動作）を行うようにトリガする。
【００７９】
すると、前記開閉機構により可動接点（図示せず）が対応する固定接点（図示せず）から分離し、漏電発生による回路遮断が行われる。
【００８０】
以下、図３及び図４を参照して、本発明の好ましい他の実施形態による漏電遮断器の制御回路について説明する。
【００８１】
図３に示す本発明の好ましい他の実施形態による漏電遮断器の制御回路は、ゲイン調整器７０をさらに含むことを除いては、図１に示す本発明の好ましい一実施形態による漏電遮断器の制御回路と同様である。
【００８２】
よって、説明の重複を避けるために、ゲイン調整器７０についてのみ図３及び図４を参照して説明する。
【００８３】
ゲイン調整器７０は、ベース電流発生器６０に接続され、入力増幅器３０の一対のトランジスタＱ１、Ｑ２のベースに供給されるベース電流（Ｉｂ）を調整することにより、前記ベース電流（Ｉｂ）に対する一対のトランジスタＱ１、Ｑ２のコレクタ電流（Ｉｃ）のゲインを調整する。
【００８４】
図４に示すように、ゲイン調整器７０は、定電圧源７０ａと、定電圧源７０ａに直列に接続される可変抵抗７０ｂとを含んでもよい。
【００８５】
よって、定電圧源７０ａから印加される一定電圧に対して可変抵抗７０ｂの抵抗値を手動で調整することにより、可変抵抗７０ｂに流れる出力電流が変化する。
【００８６】
ここで、ゲイン調整器７０の出力電流は、基準電流（Ｉｒｅｆ）としてベース電流発生器６０に供給される。
【００８７】
可変抵抗７０ｂの抵抗値を調整することにより、ゲイン調整器７０の出力電流である基準電流（Ｉｒｅｆ）を調整することができ、従って、電流ミラー回路で構成されたベース電流発生器６０から出力される同じ電流値を有する２つのベース電流（Ｉｂ）を調整することができる。
【００８８】
一方、入力増幅器３０のベース電流（Ｉｂ）とコレクタ電流（Ｉｃ）の関係は下記数式２のように表される。
【００８９】
【数２】
2017199677.tif 000011
【００９０】
ここで、βは入力増幅器３０の増幅度である。
【００９１】
上記数式２から分かるように、増幅度（β）が一定である場合、前記ベース電流（Ｉｂ）が増加すると前記コレクタ電流（Ｉｃ）も増加し、前記ベース電流（Ｉｂ）が減少すると前記コレクタ電流（Ｉｃ）も減少する。
【００９２】
従って、前記ベース電流（Ｉｂ）の大きさを調整することにより、前記コレクタ電流（Ｉｃ）が変化する程度、すなわちゲインを調整することができる。
【００９３】
また、前記コレクタ電流（Ｉｃ）は、コレクタ抵抗（図１及び図３においてコレクタに接続された抵抗記号を参照）により電圧に変換され、入力増幅器３０の出力信号としてトリップ決定回路部４０に供給される。
【符号の説明】
【００９４】
１０  零相変流器
２０  フィルタ回路部
３０  入力増幅器
４０  トリップ決定回路部
５０  トリップ機構
６０  ベース電流発生器
７０  ゲイン調整器
【図１】
2017199677.tif 000012
【図２Ａ】
2017199677.tif 000013
【図２Ｂ】
2017199677.tif 000014
【図３】
2017199677.tif 000015
【図４】
2017199677.tif 000016
【図５】
2017199677.tif 000017